(57)【要約】【課題】辞書機能を備えた電子機器において、タッチ操作により検索語の文字（列）が入力される毎に、当該入力された検索語に対応した見出し語を検索して一覧表示させる。【解決手段】メイン表示部１６のアイコン表示エリア１６Ａに表示されたタッチ入力アイコンＤｔがタッチされタッチ入力機能がＯＮに設定された状態で、任意の辞書［国語辞典］が選択されると、選択辞書に応じた検索語入力画面Ｇｊが上下２分割画面の上画面に表示されると共に、検索語の入力文字種に応じた仮名文字をタッチ操作で入力するためのタッチ入力ボード（５０音ボードＢａ）が下画面に表示される。タッチ入力ボードにより順次入力された検索語の文字列が検索語入力画面の検索文字入力エリアＪａに入力表示されると、当該検索語の文字列に対応した見出し語が前記選択辞書［国語辞典］から検索されその見出し語一覧エリアＬｍが前記上画面の検索語入力エリアＪａに並べて表示される。【選択図】  図１２
2014106871.tif 000002
【特許請求の範囲】
【請求項１】
タッチパネル式の表示部と、
複数種類の辞書データを記憶している辞書記憶手段と、
この辞書記憶手段に記憶されている複数種類の辞書の中から選択された辞書に応じた検索語の入力画面と、その検索語を入力するためのタッチ入力ボードとを、前記表示部に分けて表示させる入力画面表示制御手段と、
この入力画面表示制御手段により表示されたタッチ入力ボードのユーザ操作により入力された検索語の文字に対応する見出し語を前記選択された辞書から検索する辞書検索手段と、
前記入力画面表示制御手段により表示されたタッチ入力ボードから検索語が入力されたことに応じて、前記検索語の入力画面を前記辞書検索手段により検索された見出し語の一覧を表示させる見出し語一覧画面に変更する表示制御手段と、
を備えたことを特徴とする辞書機能を備えた電子機器。
【請求項２】
前記辞書記憶手段に記憶されている複数種類の辞書毎にその辞書に応じた検索語の入力文字種と当該入力文字種に応じた文字をタッチ入力可能なタッチ入力ボードの種類とを対応付けて記憶している入力ボード記憶手段と、
この入力ボード記憶手段に検索語の入力文字種と対応付けられて記憶されたタッチ入力ボードの種類に基づいて、前記入力画面表示制御手段により表示されたタッチ入力ボードを、ユーザ操作に応じて他の種類のタッチ入力ボードに切り替えて表示させるボード切替表示制御手段と、
を備えたことを特徴とする請求項１に記載の辞書機能を備えた電子機器。
【請求項３】
ユーザ操作に応じて、タッチ入力機能ＯＮ／ＯＦＦを設定するタッチ入力設定手段を備え、
前記入力画面表示制御手段は、前記タッチ入力設定手段によりタッチ入力機能がＯＮに設定された状態で、前記選択された辞書に応じた検索語の入力画面と、その検索語の入力文字種に応じたタッチ入力ボードとを、前記表示部の上画面と下画面とに分けて表示させる、
ことを特徴とする請求項１または請求項２に記載の辞書機能を備えた電子機器。
【請求項４】
前記表示制御手段により前記検索された見出し語の一覧が表示された状態で、ユーザ操作に応じて、前記表示されたタッチ入力ボードを閉じると共に、前記検索された見出し語の一覧を前記表示部の全画面に表示させる全画面表示制御手段を備えた、
ことを特徴とする請求項１ないし請求項３の何れか１項に記載の辞書機能を備えた電子機器。
【請求項５】
前記入力画面表示制御手段により下画面に表示されたタッチ入力ボードの種類を上画面に表示された検索語入力画面での入力文字種と対応付けて記憶する前回使用ボード記憶手段を備え、
前記タッチ入力設定手段によりタッチ入力機能がＯＮに設定された状態で、ユーザ操作に応じて前記選択された辞書が他の辞書に変更された際、前記入力画面表示制御手段は、当該変更後の辞書に応じた検索語の入力画面を上画面に表示させると共に、その検索語の入力文字種と対応付けられて前記前回使用ボード記憶手段に記憶されているタッチ入力ボードの種類に基づいて、その種類のタッチ入力ボードを下画面に表示させる、
ことを特徴とする請求項３に記載の辞書機能を備えた電子機器。
【請求項６】
タッチパネル式の表示部を備えた電子機器のコンピュータを制御するためのプログラムであって、
前記コンピュータを、
複数種類の辞書データをメモリに記憶させる辞書記憶手段、
この辞書記憶手段によりメモリに記憶された複数種類の辞書の中から選択された辞書に応じた検索語の入力画面と、その検索語を入力するためのタッチ入力ボードとを、前記表示部に分けて表示させる入力画面表示制御手段、
この入力画面表示制御手段により表示部に表示されたタッチ入力ボードのユーザ操作により入力された検索語の文字に対応する見出し語を前記選択された辞書から検索する辞書検索手段、
前記入力画面表示制御手段により表示されたタッチ入力ボードから検索語が入力されたことに応じて、前記検索語の入力画面を前記辞書検索手段により検索された見出し語の一覧を表示させる見出し語一覧画面に変更する表示制御手段、
として機能させるためのプログラム。
【発明の詳細な説明】
【技術分野】
【０００１】
本発明は、辞書機能を備えた電子機器およびその制御プログラムに関する。
【背景技術】
【０００２】
従来から、ワードプロセッサのように文字入力キーを直接キー操作して所望の文字を入力する文字入力装置と、タッチパネル式の手書き入力部を備え、この手書き入力部にてペンタッチにより入力された手書きの軌跡の文字を文字認識させて入力する手書き文字入力装置とが実用されている。
【０００３】
一方で、キー入力表示された文字（列）を検索語として当該検索語に対応する見出し語を辞書データから検索し、検索された見出し語の説明情報を表示させるようにした電子辞書装置が実用されている。
【０００４】
そして、前記辞書検索のための検索語を入力するためにキー入力部（キーボード）だけでなく手書き入力部も備え、ユーザが読めない漢字などもこの手書き入力部にてペンタッチにより手書き入力して文字認識させ、前記検索語として入力し辞書検索して表示させるようにした手書き入力機能付き電子辞書装置も考えられている（例えば、特許文献１参照。）。
【先行技術文献】
【特許文献】
【０００５】
【特許文献１】特開２００５−１６５５３３号公報
【発明の概要】
【発明が解決しようとする課題】
【０００６】
前記従来の手書き入力機能付き電子辞書装置では、手書き入力して文字認識させるための手書き入力部を表示部とは個別に設けていたが、近年ではメインの表示部にもタッチパネルを搭載した電子辞書装置も出現している。このようにタッチ機能が拡張している状況においては、電子辞書の新しい操作方法が要求されている。
【０００７】
本発明は、このような課題に鑑みなされたもので、タッチ式表示部を用いた操作性の良い辞書機能を備えた電子機器およびその制御プログラムを提供することを目的とする。
【課題を解決するための手段】
【０００８】
本発明に係る辞書機能を備えた電子機器は、タッチパネル式の表示部と、複数種類の辞書データを記憶している辞書記憶手段と、この辞書記憶手段に記憶されている複数種類の辞書の中から選択された辞書に応じた検索語の入力画面と、その検索語を入力するためのタッチ入力ボードとを、前記表示部に分けて表示させる入力画面表示制御手段と、この入力画面表示制御手段により表示されたタッチ入力ボードのユーザ操作により入力された検索語の文字に対応する見出し語を前記選択された辞書から検索する辞書検索手段と、前記入力画面表示制御手段により表示されたタッチ入力ボードから検索語が入力されたことに応じて、前記検索語の入力画面を前記辞書検索手段により検索された見出し語の一覧を表示させる見出し語一覧画面に変更する表示制御手段と、を備えたことを特徴としている。
【０００９】
本発明に係るプログラムは、タッチパネル式の表示部を備えた電子機器のコンピュータを制御するためのプログラムであって、前記コンピュータを、複数種類の辞書データをメモリに記憶させる辞書記憶手段、この辞書記憶手段によりメモリに記憶された複数種類の辞書の中から選択された辞書に応じた検索語の入力画面と、その検索語を入力するためのタッチ入力ボードとを、前記表示部に分けて表示させる入力画面表示制御手段、この入力画面表示制御手段により表示部に表示されたタッチ入力ボードのユーザ操作により入力された検索語の文字に対応する見出し語を前記選択された辞書から検索する辞書検索手段、前記入力画面表示制御手段により表示されたタッチ入力ボードから検索語が入力されたことに応じて、前記検索語の入力画面を前記辞書検索手段により検索された見出し語の一覧を表示させる見出し語一覧画面に変更する表示制御手段、として機能させることを特徴としている。
【発明の効果】
【００１０】
本発明によれば、タッチ式表示画面に表示させたタッチ入力ボードを用いて操作性の良い辞書検索が可能になる。
【図面の簡単な説明】
【００１１】
【図１】本発明の辞書機能を備えた電子機器の実施形態に係る電子辞書装置１０の外観構成を示す正面図。
【図２】前記電子辞書装置１０の電子回路の構成を示すブロック図。
【図３】前記電子辞書装置１０の記憶装置２２に記憶された入力ボードテーブル２２ｃの内容を示す図。
【図４】前記電子辞書装置１０によるタッチ入力機能設定処理を示すフローチャート。
【図５】前記電子辞書装置１０による前記タッチ入力機能のＯＮ／ＯＦＦ設定に応じた辞書検索処理を示すフローチャート。
【図６】前記電子辞書装置１０においてタッチ入力機能がＯＮに設定された状態での辞書検索処理に伴う日本語系検索語の入力文字種に応じたタッチ入力ボードの表示動作を示す図。
【図７】前記電子辞書装置１０においてタッチ入力機能がＯＮに設定された状態での辞書検索処理に伴う英語・ラテン語系検索語の入力文字種に応じたタッチ入力ボードの表示動作を示す図。
【図８】前記電子辞書装置１０においてタッチ入力機能がＯＮに設定された状態での辞書検索処理に伴う韓国語系検索語の入力文字種に応じたタッチ入力ボードの表示動作を示す図。
【図９】前記電子辞書装置１０においてタッチ入力機能がＯＮに設定された状態での辞書検索処理に伴うロシア語系検索語の入力文字種に応じたタッチ入力ボードの表示動作を示す図。
【図１０】前記電子辞書装置１０においてタッチ入力機能がＯＮに設定された状態での辞書検索処理に伴う数字系検索語の入力文字種に応じたタッチ入力ボードの表示動作を示す図。
【図１１】前記電子辞書装置１０においてタッチ入力機能がＯＮに設定された後に選択された辞書が他の辞書に変更された場合のタッチ入力ボードの表示動作を示す図。
【図１２】前記電子辞書装置１０においてタッチ入力機能がＯＮに設定された状態での辞書検索処理に伴う見出し語一覧エリアＬｍの同時表示動作とタッチ入力ボードが閉じられた後のプレビューエリアＰｖの同時表示動作とを示す図。
【発明を実施するための形態】
【００１２】
以下図面により本発明の実施の形態について説明する。
【００１３】
図１は、本発明の辞書機能を備えた電子機器の実施形態に係る電子辞書装置１０の外観構成を示す正面図である。
【００１４】
この電子辞書装置１０は、以下に説明する電子辞書専用の携帯機器として構成されるか、辞書機能を備えたタッチパネル式のＰＤＡ(personal digital assistants)、ＰＣ(personal computer)、携帯電話、電子ブック、携帯ゲーム機等として構成される。
【００１５】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、［決定］キー１４ｃ、［戻る］キー１４ｄ、カーソルキー１４ｅなどを備えたキー入力部１４、およびタッチパネル式サブ表示部１５が備えられる。
【００１６】
このタッチパネル式サブ表示部１５は、ユーザがペンや指等でタッチした位置を検出するタッチ位置検出装置と表示装置が一体となった構造であり、キー入力部１４の中央手前側において例えば２５６×６４ドットのバックライト付きカラー液晶表示画面１５ｄに透明タッチパネル１５ｔを重ねて構成される。このサブ表示部１５は、必要に応じて、手書き文字を入力するための手書き文字入力領域、各種機能のキー入力領域、あるいは当該各領域が混在する領域に切り替えられる。
【００１７】
そして、前記サブ表示部１５が手書き文字入力領域に切り替えられた状態での手書き入力に伴う軌跡はそのバックライト付きカラー液晶表示画面１５ｄにエコーバックして表示される。
【００１８】
また蓋体ケース１２の表面には、そのほぼ全面を対象に例えば４８０×３２０ドットのバックライト付きのタッチパネル式メイン表示部１６が設けられる。
【００１９】
前記タッチパネル式メイン表示部１６も、前記サブ表示部１５と同様に、ユーザがペンや指等でタッチした位置を検出するタッチ位置検出装置と表示装置が一体となった構造であり、そのバックライト付きカラー液晶表示画面１６ｄに透明タッチパネル１６ｔを重ねて構成される。
【００２０】
そして、この電子辞書装置１０は、タッチ入力機能がＯＮに設定された状態で、前記タッチパネル式メイン表示部１６の画面を上画面と下画面とに分割し、上画面に検索語入力画面を表示させると共に、下画面に前記検索語入力画面での入力文字種に応じたタッチ入力ボード（手書きボード、５０音キーボード、ＱＷＥＲＴＹキーボード、ピンインキーボード、ハングルキーボード等）を表示させる機能（図６参照）、このタッチ入力ボードによる検索語の１文字入力毎に当該検索語に対応した辞書の見出し語を検索し前記上画面に一覧表示させる機能（図１２参照）、前記下画面に表示させたタッチ入力ボードの種類をそのとき上画面に表示されていた検索語入力画面での入力文字種と対応付けて記憶しておき、他の辞書が選択されその検索語入力画面が上画面に切り替え表示された際に、当該他の辞書での入力文字種と対応付けられて記憶された前回のタッチ入力ボードの種類に応じてその種類のタッチ入力ボードを下画面に切り替え表示させる機能（図１１参照）等を有する。
【００２１】
図２は、前記電子辞書装置１０の電子回路の構成を示すブロック図である。
【００２２】
この電子辞書装置１０は、各種の記録媒体に記録されたプログラムを読み込んで、その読み込んだプログラムによって動作が制御されるコンピュータによって構成され、その電子回路には、ＣＰＵ(central processing unit)２１が備えられる。
【００２３】
ＣＰＵ２１は、記憶装置２２内に予め記憶された装置制御プログラム２２ａ、あるいはＲＯＭカードなどの外部記録媒体２３から記録媒体読み取り部２４を介して前記記憶装置２２に読み込まれた装置制御プログラム２２ａ、あるいはインターネットＮ上のＷｅｂサーバ（この場合はプログラムサーバ）３０から通信部２５を介して前記記憶装置２２に読み込まれた装置制御プログラム２２ａに応じて、ＲＡＭ２６を作業用メモリとして回路各部の動作を制御する。
【００２４】
前記記憶装置２２に記憶された装置制御プログラム２２ａは、キー入力部１４、タッチパネル式サブ表示部１５、タッチパネル式メイン表示部１６からのユーザ操作に応じた入力信号、あるいは通信部２５を介して接続されるインターネットＮ上の各Ｗｅｂサーバ３０…との通信信号に応じて起動される。
【００２５】
このように、前記ＣＰＵ２１には、前記記憶装置２２、記録媒体読み取り部２４、通信部２５、ＲＡＭ２６、キー入力部１４、タッチパネル式サブ表示部１５、タッチパネル式メイン表示部１６が接続される。
【００２６】
記憶装置２２には、装置制御プログラム２２ａとして、当該電子辞書装置１０の全体の動作を司るシステムプログラム、通信部２５を介してインターネットＮ上の各Ｗｅｂサーバ３０…や図示しないユーザＰＣ(Personal Computer)などとデータ通信するための通信プログラム等が記憶される。また、前記装置制御プログラム２２ａとして、タッチ入力機能のＯＮ／ＯＦＦ設定処理、タッチ入力機能のＯＮ／ＯＦＦに応じた検索語入力処理、検索語に対応した見出し語検索処理、検索見出し語の一覧表示処理、選択された見出し語に対応する訳語・意味内容・用例・解説などの各種説明情報の読み出し表示処理など、同記憶装置２２内のコンテンツＤＢ（辞書データベース）２２ｂ、入力ボードテーブル２２ｃ、タッチ入力機能設定メモリ２２ｄ、最終使用入力ボードメモリ２２ｅに基づく入力・検索・表示処理全般を制御するための辞書検索プログラムが記憶される。
【００２７】
コンテンツＤＢ２２ｂには、例えば、五十音順に並べられた日本語の見出し語に対応付けて日本語の説明情報が記述された［国語辞典］、アルファベット順に並べられた英語の見出し語に対応付けて日本語の説明情報が記述された［英和辞典］、日本語の見出し語に対応付けて英語の説明情報が記述された［和英辞典］、多様なジャンルの見出し語に対応付けてその説明情報が記述された［百科事典］をはじめ、複数種類の辞書データが予め記憶されるかあるいはダウンロードされて記憶される。
【００２８】
図３は、前記電子辞書装置１０の記憶装置２２に記憶された入力ボードテーブル２２ｃの内容を示す図である。
【００２９】
入力ボードテーブル２２ｃには、前記コンテンツＤＢ２２ｂに記憶された各辞書それぞれの検索語の入力文字種（日本語系／英語・ラテン語系／韓国語系／中国語系／…）に対応付けられて、当該入力文字種の文字を入力可能なタッチ入力ボードの種類（日本語系：手書き入力・５０音・ＱＷＥＲＴＹ／英語・ラテン語系：手書き入力・ＱＷＥＲＴＹ／韓国語系：手書き入力・ハングル／中国語系：手書き入力・ピンイン／…）が記憶される。
【００３０】
タッチ入力機能設定メモリ２２ｄには、タッチパネル式メイン表示部１６のアイコン表示エリア１６Ａに表示されたタッチ入力アイコンＤｔ（図６参照）がタッチ操作される毎に、タッチ入力機能の設定データであるＯＮとＯＦＦとが切り替えられて記憶される。
【００３１】
最終使用入力ボードメモリ２２ｅには、タッチ入力機能がＯＮに設定された辞書検索処理中にタッチ入力ボードの種類が切り替えられた際に、そのときの検索語の入力文字種と対応付けられて当該切り替えられたタッチ入力ボードの種類が記憶される。
【００３２】
前記ＲＡＭ２６には、入力データメモリ２６ａ、メイン表示データメモリ２６ｂ、サブ表示データメモリ２６ｃなどが確保される。
【００３３】
入力データメモリ２６ａには、前記キー入力部１４、各タッチパネル１５ｔ，１６ｔのユーザ操作に応じた個々の入力データが逐次記憶される。
【００３４】
メイン表示データメモリ２６ｂには、前記タッチパネル式メイン表示部１６の画面に表示させる表示データがビットマップパターンに展開されて記憶される。
【００３５】
サブ表示データメモリ２６ｃには、前記タッチパネル式サブ表示部１５の画面に表示させる表示データがビットマップパターンに展開されて記憶される。
【００３６】
このように構成された電子辞書装置１０は、ＣＰＵ２１が前記装置制御プログラム２２ａ（タッチ入力機能のＯＮ／ＯＦＦ設定処理、検索語入力処理、見出し語検索処理、見出し語一覧表示処理、選択見出し語の説明情報表示処理等を実行するためのプログラムを含む）に記述された命令に従い回路各部の動作を制御し、ソフトウエアとハードウエアとが協働して動作することにより、以下の動作説明で述べる機能を実現する。
【００３７】
次に、前記構成による電子辞書装置１０の動作について説明する。
【００３８】
図４は、前記電子辞書装置１０によるタッチ入力機能設定処理を示すフローチャートである。
【００３９】
装置制御プログラム２２ａの起動により辞書検索処理へ移行すると、タッチパネル式メイン表示部１６の左端のアイコン表示エリア１６Ａにタッチ入力アイコンＤｔが表示される（図６参照）。このタッチ入力アイコンＤｔがタッチされると（ステップＴ１（Ｙｅｓ））、タッチ入力機能設定メモリ２２ｄに記憶されている設定データがＯＦＦである場合は（ステップＴ２（ＯＦＦ））、当該設定データがＯＮに切り替えられ（ステップＴ３）、検索語の入力と共に辞書検索された見出し語の説明情報をプレビュー表示させるプレビュー機能がＯＦＦに設定される（ステップＴ４）。なお、タッチ入力機能がＯＮとなると、電子辞書装置１０は、キーボード１４のキー操作を必要とせずにメイン表示部１６におけるタッチ操作で辞書検索を行う動作モードになる。
【００４０】
一方、前記タッチ入力アイコンＤｔがタッチされた際に（ステップＴ１（Ｙｅｓ））、タッチ入力機能設定メモリ２２ｄに記憶されている設定データがＯＮである場合は（ステップＴ２（ＯＮ））、当該設定データがＯＦＦに切り替えられ（ステップＴ５）、前記プレビュー機能がＯＮに設定される（ステップＴ６）。
【００４１】
図５は、前記電子辞書装置１０による前記タッチ入力機能のＯＮ／ＯＦＦ設定に応じた辞書検索処理を示すフローチャートである。
【００４２】
図６は、前記電子辞書装置１０においてタッチ入力機能がＯＮに設定された状態での辞書検索処理に伴う日本語系検索語の入力文字種に応じたタッチ入力ボードの表示動作を示す図である。
【００４３】
図７は、前記電子辞書装置１０においてタッチ入力機能がＯＮに設定された状態での辞書検索処理に伴う英語・ラテン語系検索語の入力文字種に応じたタッチ入力ボードの表示動作を示す図である。
【００４４】
図８は、前記電子辞書装置１０においてタッチ入力機能がＯＮに設定された状態での辞書検索処理に伴う韓国語系検索語の入力文字種に応じたタッチ入力ボードの表示動作を示す図である。
【００４５】
図９は、前記電子辞書装置１０においてタッチ入力機能がＯＮに設定された状態での辞書検索処理に伴うロシア語系検索語の入力文字種に応じたタッチ入力ボードの表示動作を示す図である。
【００４６】
図１０は、前記電子辞書装置１０においてタッチ入力機能がＯＮに設定された状態での辞書検索処理に伴う数字系検索語の入力文字種に応じたタッチ入力ボードの表示動作を示す図である。
【００４７】
辞書指定キー１４ｂによりユーザが所望する辞書、例えば［国語辞典］が選択されると（ステップＳ１（Ｙｅｓ））、選択された辞書［国語辞典］の検索語の入力文字種が日本語系として決定され、最終使用入力ボードメモリ２２ｅにおいて日本語系文字種と対応付けられて記憶されている前回の辞書検索処理でのタッチ入力ボードの種類（手書き入力／５０音／ＱＷＥＲＴＹの何れか）が設定される（ステップＳ２）。
【００４８】
なお、前記最終使用入力ボードメモリ２２ｅにおいて、前回の辞書検索処理でのタッチ入力ボードの種類が記憶されてない場合は、入力ボードテーブル２２ｃ（図３参照）に記憶されている日本語系文字種に対応付けられたタッチ入力ボードの種類のうちデフォルト設定された先頭の手書き入力ボードに設定される。
【００４９】
すると、タッチ入力機能設定メモリ２２ｄにおいて、タッチ入力機能の設定データがＯＮであるか否かが判断され（ステップＳ３）、ＯＮであると判断されると（ステップＳ３（Ｙｅｓ））、キー入力部１４からの信号入力が無効とされる（ステップＳ４）。
【００５０】
そして、図６（Ａ）に示すように、前記選択された辞書［国語辞典］の検索語入力画面Ｇｊがメイン表示部１６の上下に画面分割された上画面に表示されると共に、その検索語の入力文字種に応じて前記ステップＳ２において設定された種類のタッチ入力ボード（ここでは、手書きボードＢｈ）が下画面に表示される（ステップＳ５）。
【００５１】
なお、前記メイン表示部１６の下画面にタッチ入力ボードが表示される際には、前記入力ボードテーブル２２ｃ（図３参照）において、検索語の入力文字種（ここでは、日本語系）に対応付けられた何れかの種類のタッチ入力ボードに切り替えて表示させるためのボード切替アイコン（手書きアイコンＤｈ／５０音アイコンＤａ／ＱＷＥＲＴＹアイコンＤｑ）が、ボード閉じるアイコンＤｃと共にボード左端に表示される。
【００５２】
例えば、５０音アイコンＤａがタッチにより指定されると（ステップＳ６（Ｙｅｓ））、前記下画面に表示中の手書きボードＢｈは、図６（Ｂ）に示すように、５０音ボードＢａに切り替えられて表示される（ステップＳ７）。そして、前記最終使用入力ボードメモリ２２ｅに、当該切り替えられたタッチ入力ボードの種類（５０音）が、そのときの検索語の入力文字種（日本語系）と対応付けられて記憶される（ステップＳ８）。
【００５３】
さらに、例えば、ＱＷＥＲＴＹアイコンＤｑがタッチにより指定されると（ステップＳ６（Ｙｅｓ））、前記下画面に表示中の５０音ボードＢａは、図６（Ｃ）に示すように、ＱＷＥＲＴＹボードＢｑに切り替えられて表示される（ステップＳ７）。そして、前記最終使用入力ボードメモリ２２ｅに、当該切り替えられたタッチ入力ボードの種類（ＱＷＥＲＴＹ）が、そのときの検索語の入力文字種（日本語系）と対応付けられて記憶される（ステップＳ８）。
【００５４】
なお、図７に示すように、［英和辞典］が選択されてその検索語入力画面Ｇｅが上画面に表示された場合にも、下画面に表示された手書きアイコンＤｈまたはＱＷＥＲＴＹアイコンＤｑを選択的にタッチすることで、手書きボードＢｈとＱＷＥＲＴＹボードＢｑとを適宜切り替えて表示できる（ステップＳ１〜Ｓ８）。
【００５５】
また、図８に示すように、［韓国語辞典］が選択されてその検索語入力画面Ｇｋが上画面に表示された場合にも、下画面に表示された手書きアイコンＤｈまたはハングルアイコンＤｋを選択的にタッチすることで、手書きボードＢｈとハングルボードＢｋとを適宜切り替えて表示できる（ステップＳ１〜Ｓ８）。
【００５６】
また、図９に示すように、［ロシア語辞典］が選択されてその検索語入力画面Ｇｒが上画面に表示された場合にも、下画面に表示された手書きアイコンＤｈまたはキリルアイコンＤｒを選択的にタッチすることで、手書きボードＢｈとキリルボードＢｒとを適宜切り替えて表示できる（ステップＳ１〜Ｓ８）。
【００５７】
なお、図１０に示すように、［漢字辞典］が選択されてその検索語入力画面Ｇｃが上画面に表示され、画数の入力項目が指定された場合にも、下画面に表示された手書きアイコンＤｈまたは数字アイコンＤｎを選択的にタッチすることで、手書きボードＢｈと数字ボードＢｎとを適宜切り替えて表示できるようにしてもよい。
【００５８】
そして、その他の言語の辞書が選択された場合にも、前記同様に、メイン表示部１６の上画面には当該選択された辞書の検索語入力画面が表示されると共に、下画面には手書きボードＢｈと言語に応じた文字のボードとを適宜切り替えて表示できる（ステップＳ１〜Ｓ８）。
【００５９】
図１１は、前記電子辞書装置１０においてタッチ入力機能がＯＮに設定された後に選択された辞書が他の辞書に変更された場合のタッチ入力ボードの表示動作を示す図である。
【００６０】
この図１１（Ａ）→（Ｂ）に示すように、［国語辞典］が選択されてメイン表示部１６の全画面にその検索語入力画面Ｇｊが表示された後に、タッチ入力機能がＯＮに設定されると、メイン表示部１６が上下に分割され、最終使用入力ボードメモリ２２ｅにおいて検索語の入力文字種（日本語系）に対応付けられて記憶されているタッチ入力ボードの種類（５０音）に従い、下画面に５０音ボードＢａが表示される（ステップＳ１〜Ｓ５）。
【００６１】
この後、図１１（Ｂ）→（Ｃ）に示すように、選択中の辞書［国語辞典］が他の辞書［古語辞典］に変更され、上画面に当該［古語辞典］の検索語入力画面Ｇｄが表示された場合でも、前記最終使用入力ボードメモリ２２ｅにおいて、その入力文字種（日本語系）に応じた前回検索処理でのタッチ入力ボードの種類（５０音）が記憶保持されているので、下画面には前記同様に５０音ボードＢａが表示される（ステップＳ１〜Ｓ５）。
【００６２】
このため、辞書が変更されても、その検索語の入力文字種に応じて使用されたタッチ入力ボードの種類は、前記最終使用入力ボードメモリ２２ｅに記憶保持されているので、各辞書とその検索語の入力文字種に応じて、ユーザが入力し易いタッチ入力ボードを表示させることができる。
【００６３】
これ以降、前記図６で示したように、［国語辞典］が選択された場合の実施形態を代表例として説明する。
【００６４】
前記図６（Ａ）で示したように、メイン表示部１６の上画面に［国語辞典］の検索語入力画面Ｇｊが表示され、下画面に手書きボードＢｈが表示された状態で、当該手書きボードＢｈの文字入力エリアに手書きの文字が入力されると（ステップＳ９，Ｓ１０（Ｙｅｓ））、認識ボタンＮがタッチされるか又は次の文字入力エリアに対する手書き文字の入力が開始される毎に、その直前に入力された手書きの文字が文字認識され、検索語入力画面Ｇｊの検索文字入力エリアに表示される（ステップＳ１１）。
【００６５】
一方、前記図６（Ｂ）又は図６（Ｃ）で示したように、メイン表示部１６の下画面に５０音ボードＢａまたはＱＷＥＲＴＹボードＢｑが表示された状態で、５０音キーにより直接またはローマ字形式で仮名文字が入力されると（ステップＳ９，Ｓ１０（Ｎｏ））、当該入力された仮名文字は検索語入力画面Ｇｊの検索文字入力エリアに表示される（ステップＳ１２）。
【００６６】
図１２は、前記電子辞書装置１０においてタッチ入力機能がＯＮに設定された状態での辞書検索処理に伴う見出し語一覧エリアＬｍの同時表示動作とタッチ入力ボードが閉じられた後のプレビューエリアＰｖの同時表示動作とを示す図である。
【００６７】
例えば図１２（Ａ）に示すように、［国語辞典］の検索語入力画面Ｇｊが上画面に表示されると共に、５０音ボードＢａが下画面に表示された状態で（ステップＳ１〜Ｓ８）、当該５０音ボードＢａのキータッチ操作により、検索語「あ」「い」「さ」「つ」が順次入力されると（ステップＳ９，Ｓ１０，Ｓ１２）、図１２（Ｂ）に示すように、当該入力された検索語の文字列が順次検索文字入力エリアＪａに表示される（ステップＳ１３）。
【００６８】
すると、前記検索文字入力エリアＪａに順次入力表示された検索語の文字列と前方一致する見出し語がコンテンツＤＢ２２ｂの［国語辞典］から検索され（ステップＳ１４）、その見出し語一覧エリアＬｍが上画面内の検索文字入力エリアＪａと併せて表示される（ステップＳ１５）。
【００６９】
これにより、タッチ入力機能がＯＮに設定された状態では、メイン画面１６の下画面に表示されたタッチ入力ボードをタッチ操作して、上画面に表示された検索文字入力エリアＪａに検索語の文字列を順次入力して表示させることで、当該入力された検索語の文字列に対応する見出し語が直ちに検索されて見出し語一覧エリアＬｍとして並列表示されるようになる。
【００７０】
そして、例えば前記図１２（Ｂ）で示したように、見出し語一覧エリアＬｍに一覧表示された各見出し語のうち、任意の見出し語「あいさつ［挨拶］」がタッチされ反転によって指定表示ｈされると（ステップＳ１６（Ｙｅｓ））、当該指定表示ｈされた見出し語「あいさつ［挨拶］」の説明情報がコンテンツＤＢ２２ｂの［国語辞典］から読み出され、メイン表示部１６の全画面に展開されて表示される（ステップＳ１７）。
【００７１】
一方、例えば前記図１２（Ｂ）で示したように、下画面のタッチ入力ボード（５０音ボードＢａ）による文字入力に応じて、上画面の検索文字入力エリアＪａに検索語の文字列が順次入力されて表示されると共に、当該検索語の文字列と前方一致する見出し語の一覧エリアＬｍが並列表示された状態で、タッチ入力ボード（Ｂａ）の左端に表示されているボード閉じるアイコンＤｃがタッチされると（ステップＳ１８（Ｙｅｓ））、見出し語一覧エリアＬｍの表示中であるか否かが判断される（ステップＳ１９）。
【００７２】
ここで、前記メイン表示部１６の上画面において見出し語一覧エリアＬｍの表示中であると判断されると（ステップＳ１９（Ｙｅｓ））、図１２（Ｃ）に示すように、プレビュー機能のＯＦＦ設定が解除され、前記検索文字入力エリアＪａと見出し語一覧エリアＬｍと当該見出し語一覧エリアＬｍにて指定表示ｈされた見出し語に対応する説明情報のプレビューエリアＰｖとが全画面に展開されてなる表示形態に変更される（ステップＳ２０）。
【００７３】
そして、例えば前記図１２（Ｂ）で示した、見出し語一覧エリアＬｍに一覧表示された各見出し語のうち、任意の見出し語がタッチされ反転によって指定表示ｈされると（ステップＳ２１（Ｙｅｓ））、当該指定表示ｈされた見出し語の説明情報がコンテンツＤＢ２２ｂの［国語辞典］から読み出され、メイン表示部１６の全画面に展開されて表示される（ステップＳ１７）。
【００７４】
一方、前記図１２（Ｂ）で示した、検索文字入力エリアＪａと見出し語一覧エリアＬｍと当該見出し語一覧エリアＬｍにて指定表示ｈされた見出し語に対応する説明情報のプレビューエリアＰｖとがメイン表示部１６の全画面に展開されてなる表示状態において、同メイン表示部１６のアイコン表示エリア１６Ａに表示されたタッチ入力アイコンＤｔがタッチ操作され、タッチ入力ボードを開く指示が為されたと判断されると（ステップＳ２２（Ｙｅｓ））、図１２（Ｂ）で示したように、プレビュー機能がＯＦＦ設定に戻され、上画面に検索文字入力エリアＪａと見出し語一覧エリアＬｍとが並列表示され、下画面にタッチ入力ボード（５０音ボードＢａ）が表示されてなる元の画面展開の状態に戻る（ステップＳ２３）。
【００７５】
一方、前記ステップＳ３において、タッチ入力機能設定メモリ２２ｄに記憶されたタッチ入力機能の設定データがＯＮではなくＯＦＦであると判断されると（ステップＳ３（Ｙｅｓ））、選択された辞書に応じた検索語入力画面（例えば［国語辞典］の検索語入力画面Ｇｊ）がメイン表示部１６の全画面に展開されて表示（図１１（Ａ）参照）される（ステップＳ２４）。
【００７６】
そしてこの後、キー入力部１４からのユーザ操作に応じたキー入力信号に基づき、前記検索文字入力エリアＪａと見出し語一覧エリアＬｍとプレビューエリアＰｖとが全画面展開（図１２（Ｃ）参照）されてなる通常の辞書検索処理が実行される（ステップＳ２５）。
【００７７】
したがって、前記構成の電子辞書装置１０のタッチ入力機能を備えた辞書検索制御処理によれば、メイン表示部１６のアイコン表示エリア１６Ａに表示されたタッチ入力アイコンＤｔがタッチされタッチ入力機能がＯＮに設定された状態で、任意の辞書（例えば［国語辞典］）が選択されると、選択された辞書に応じた検索語入力画面（Ｇｊ）が上下２分割された表示画面の上画面に表示されると共に、その検索語の入力文字種に応じた文字（仮名）をタッチ操作で入力するためのタッチ入力ボード（手書きボードＢｈ又は５０音ボードＢａ又はＱＷＥＲＴＹボードＢｑ）が下画面に表示される。そして、タッチ入力ボードにより順次入力された検索語の文字列が検索語入力画面の検索文字入力エリアＪａに入力されて表示されると、当該検索語の文字列に対応した見出し語が前記選択された辞書［国語辞典］から検索され、その見出し語一覧エリアＬｍが前記上画面の検索文字入力エリアＪａに並べて表示される。
【００７８】
このため、タッチ操作により検索語の文字（列）が入力される毎に、当該入力された検索語に対応した見出し語を検索して一覧表示させることが可能になり、作業途中にキー操作を要するなどの面倒さを解消できる。
【００７９】
また、前記構成の電子辞書装置１０によれば、入力ボードテーブル２２ｃにおいて、各種の辞書毎にその検索語の入力文字種と当該文字種の文字を入力可能なタッチ入力ボードの種類とを対応付けて記憶し、この入力文字種に応じたタッチ入力ボードの種類に対応した各ボード切替アイコン（日本語系文字種の場合、手書きアイコンＤｈ／５０音アイコンＤａ／ＱＷＥＲＴＹアイコンＤｑ）を下画面に表示させる。そして、前記ボード切替アイコンのタッチ操作に応じてタッチ入力ボードの種類を適宜切り替えて表示させ、ユーザ任意のタッチ入力形態で検索語の文字列を入力できる。
【００８０】
また、前記構成の電子辞書装置１０によれば、下画面に表示されたタッチ入力ボードのタッチ操作に応じて入力された検索語の文字列に対応して、選択中の辞書から検索された見出し語の一覧エリアＬｍが上画面に表示された状態で、前記下画面のタッチ入力ボードと共に表示させたボード閉じるアイコンＤｃがタッチされると、表示画面の上下分割が解消され、選択中の辞書に応じた検索文字入力エリアＪａと見出し語一覧エリアＬｍと同一覧から選択的に指定表示ｈされた見出し語に対応する説明情報のプレビューエリアＰｖとが全画面に展開されて表示される。
【００８１】
このため、例えばタッチ入力ボードによる検索語の入力が完了した場合には、当該検索語に対応した見出し語の一覧エリアＬｍを直ちに全画面表示させて素早く所望の見出し語を見つけることができる。
【００８２】
さらに、前記構成の電子辞書装置１０によれば、前記辞書検索処理に伴いメイン表示部１６の下画面に表示されたタッチ入力ボードの種類は、そのとき上画面に表示されている検索語入力画面での入力文字種と対応付けられて最終使用入力ボードメモリ２２ｅに記憶される。この後、選択中の辞書が他の種類の辞書に変更された場合には、当該変更後の辞書の検索語の入力文字種に対応付けられて前記最終使用入力ボードメモリ２２ｅに記憶されているタッチ入力ボードの種類に応じたタッチ入力ボードが下画面に切り替えられて表示される。
【００８３】
このため、タッチ入力機能がＯＮに設定される状態では、使用する辞書が切り替えられた場合でも、その検索語の入力文字種に応じて前回使用された種類のタッチ入力ボードが下画面に表示されるので、ユーザは過去に慣れたタッチ入力操作で検索語の文字列を入力できる。
【００８４】
なお、前記実施形態において記載した電子辞書装置１０による各処理の手法およびデータベース、すなわち、図４のフローチャートに示すタッチ入力機能設定処理、図５のフローチャートに示す辞書検索処理などの各手法およびコンテンツＤＢ２２ｂ、入力ボードテーブル２２ｃ等を含むデータベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、タッチパネル式表示部（１５，１６）を備えた電子機器のコンピュータは、この外部記録媒体２３に記録されたプログラムを記憶装置２２に読み込み、この読み込んだプログラムによって動作が制御されることにより、前記実施形態において説明したタッチ入力機能を備えた辞書検索制御処理を実現し、前述した手法による同様の処理を実行することができる。
【００８５】
また、前記各手法を実現するためのプログラムのデータは、プログラムコードの形態としてネットワークＮ上を伝送させることができ、このプログラムデータを、タッチパネル式表示部（１５，１６）を備えた電子機器のコンピュータに通信部２５によって取り込むことで、前述したタッチ入力機能を備えた辞書検索制御処理を実現することもできる。
【００８６】
なお、本願発明は、前記実施形態に限定されるものではなく、実施段階ではその要旨を逸脱しない範囲で種々に変形することが可能である。例えば、前記実施形態では表示画面を上下に分割して下画面にタッチ入力ボードを表示するようにしたが、ウィンドウ形式で別々に表示するようにしてもよい。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８７】
以下に、本願出願の当初の特許請求の範囲に記載された発明を付記する。
【００８８】
［１］
タッチパネル式の表示部と、
複数種類の辞書データを記憶している辞書記憶手段と、
この辞書記憶手段に記憶されている複数種類の辞書の中から選択された辞書に応じた検索語の入力画面と、その検索語を入力するためのタッチ入力ボードとを、前記表示部に分けて表示させる入力画面表示制御手段と、
この入力画面表示制御手段により表示されたタッチ入力ボードのユーザ操作により入力された検索語の文字に対応する見出し語を前記選択された辞書から検索する辞書検索手段と、
前記入力画面表示制御手段により表示されたタッチ入力ボードから検索語が入力されたことに応じて、前記検索語の入力画面を前記辞書検索手段により検索された見出し語の一覧を表示させる見出し語一覧画面に変更する表示制御手段と、
を備えたことを特徴とする辞書機能を備えた電子機器。
【００８９】
［２］
前記辞書記憶手段に記憶されている複数種類の辞書毎にその辞書に応じた検索語の入力文字種と当該入力文字種に応じた文字をタッチ入力可能なタッチ入力ボードの種類とを対応付けて記憶している入力ボード記憶手段と、
この入力ボード記憶手段に検索語の入力文字種と対応付けられて記憶されたタッチ入力ボードの種類に基づいて、前記入力画面表示制御手段により表示されたタッチ入力ボードを、ユーザ操作に応じて他の種類のタッチ入力ボードに切り替えて表示させるボード切替表示制御手段と、
を備えたことを特徴とする［１］に記載の辞書機能を備えた電子機器。
【００９０】
［３］
ユーザ操作に応じて、タッチ入力機能ＯＮ／ＯＦＦを設定するタッチ入力設定手段を備え、
前記入力画面表示制御手段は、前記タッチ入力設定手段によりタッチ入力機能がＯＮに設定された状態で、前記選択された辞書に応じた検索語の入力画面と、その検索語の入力文字種に応じたタッチ入力ボードとを、前記表示部の上画面と下画面とに分けて表示させる、
ことを特徴とする［１］または［２］に記載の辞書機能を備えた電子機器。
【００９１】
［４］
前記表示制御手段により前記検索された見出し語の一覧が表示された状態で、ユーザ操作に応じて、前記表示されたタッチ入力ボードを閉じると共に、前記検索された見出し語の一覧を前記表示部の全画面に表示させる全画面表示制御手段を備えた、
ことを特徴とする［１］ないし［３］の何れかに記載の辞書機能を備えた電子機器。
【００９２】
［５］
前記入力画面表示制御手段により下画面に表示されたタッチ入力ボードの種類を上画面に表示された検索語入力画面での入力文字種と対応付けて記憶する前回使用ボード記憶手段を備え、
前記タッチ入力設定手段によりタッチ入力機能がＯＮに設定された状態で、ユーザ操作に応じて前記選択された辞書が他の辞書に変更された際、前記入力画面表示制御手段は、当該変更後の辞書に応じた検索語の入力画面を上画面に表示させると共に、その検索語の入力文字種と対応付けられて前記前回使用ボード記憶手段に記憶されているタッチ入力ボードの種類に基づいて、その種類のタッチ入力ボードを下画面に表示させる、
ことを特徴とする［３］に記載の辞書機能を備えた電子機器。
【００９３】
［６］
タッチパネル式の表示部を備えた電子機器のコンピュータを制御するためのプログラムであって、
前記コンピュータを、
複数種類の辞書データをメモリに記憶させる辞書記憶手段、
この辞書記憶手段によりメモリに記憶された複数種類の辞書の中から選択された辞書に応じた検索語の入力画面と、その検索語を入力するためのタッチ入力ボードとを、前記表示部に分けて表示させる入力画面表示制御手段、
この入力画面表示制御手段により表示部に表示されたタッチ入力ボードのユーザ操作により入力された検索語の文字に対応する見出し語を前記選択された辞書から検索する辞書検索手段、
前記入力画面表示制御手段により表示されたタッチ入力ボードから検索語が入力されたことに応じて、前記検索語の入力画面を前記辞書検索手段により検索された見出し語の一覧を表示させる見出し語一覧画面に変更する表示制御手段、
として機能させるためのプログラム。
【符号の説明】
【００９４】
１０  …電子辞書装置
１１  …本体ケース
１２  …蓋体ケース
１３  …ヒンジ部
１４  …キー入力部
１４ａ…文字入力キー
１４ｂ…辞書指定キー
１４ｃ…［訳／決定］キー
１４ｄ…［戻る］キー
１４ｅ…カーソルキー
１５  …タッチパネル式サブ表示部
１５ｄ…カラー液晶表示部（バックライト付き）
１５ｔ…透明タッチパネル
１６  …タッチパネル式メイン表示部
１６ｄ…カラー液晶表示部（バックライト付き）
１６ｔ…透明タッチパネル
１６Ａ…アイコン表示エリア
２１  …ＣＰＵ
２２  …記憶装置
２２ａ…装置制御プログラム
２２ｂ…コンテンツＤＢ
２２ｃ…入力ボードテーブル
２２ｄ…タッチ入力機能設定メモリ
２２ｅ…最終使用入力ボードメモリ
２３  …外部記録媒体
２４  …記録媒体読み取り部
２５  …通信部
２６  …ＲＡＭ
２６ａ…入力データメモリ
２６ｂ…メイン表示データメモリ
２６ｃ…サブ表示データメモリ
３０  …Ｗｅｂサーバ
Ｎ    …通信ネットワーク
Ｇｊ  …検索語入力画面［国語辞典］
Ｄｔ  …タッチ入力アイコン
Ｄｈ  …手書きアイコン
Ｄａ  …５０音アイコン
Ｄｑ  …ＱＷＥＲＴＹアイコン
Ｄｃ  …ボード閉じるアイコン
Ｂｈ  …手書きボード
Ｂａ  …５０音ボード
Ｂｑ  …ＱＷＥＲＴＹボード
Ｇｅ  …検索語入力画面［英和辞典］
Ｇｋ  …検索語入力画面［韓国語辞典］
Ｄｋ  …ハングルアイコン
Ｂｋ  …ハングルボード
Ｇｒ  …検索語入力画面［ロシア語辞典］
Ｄｒ  …キリルアイコン
Ｂｒ  …キリルボード
Ｇｃ  …検索語入力画面［漢字辞典］
Ｄｎ  …数字アイコン
Ｂｎ  …数字ボード
Ｇｄ  …検索語入力画面［古語辞典］
Ｊａ  …検索文字入力エリア
Ｌｍ  …見出し語一覧エリア
ｈ    …指定表示
Ｐｖ  …プレビューエリア
【図１】
2014106871.tif 000003
【図２】
2014106871.tif 000004
【図３】
2014106871.tif 000005
【図４】
2014106871.tif 000006
【図５】
2014106871.tif 000007
【図６】
2014106871.tif 000008
【図７】
2014106871.tif 000009
【図８】
2014106871.tif 000010
【図９】
2014106871.tif 000011
【図１０】
2014106871.tif 000012
【図１１】
2014106871.tif 000013
【図１２】
2014106871.tif 000014